(57)【要約】      （修正有）【課題】建設機械のオペレータがシートベルトを未装着で建設機械を稼働させた場合に警報音を発生し、シートベルト着用時には外部表示灯から光を発することができる安全装置を提供する。【解決手段】運転席に設けられたシートベルトがオペレータに装着されたか否かをシートベルトセンサで判定し、同時に建設機械のエンジンが駆動したか否かを判定することでオペレータのシートベルト未装着を判定して警報信号を発する警報制御部を設け、警報音装置１０で警報音を発生させ、外部表示灯１５でシートベルトの着用時に表示光を発光させて、シートベルトが着用されていることを外部の人に報知する。【選択図】図２
0003220205.tif 000002
【実用新案登録請求の範囲】
【請求項１】
建設機械の運転席に設けられたシートベルトがオペレータに装着されたか否かを判定するシートベルトセンサと、該シートベルトセンサが未装着と判定した場合で、建設機械のエンジンが駆動し、または駆動後一定時間経過した場合を判定すると要警報と判定する警報制御部と、該警報制御部が要警報と判定した場合に警報音を発生させる警報音装置と、警報制御部がシートベルトセンサによりシートベルトが着用されていることを判定すると建設機械の車体の外部に設けられた外部表示灯により外部に向けてシートベルトの着用を表示させうることを特徴とする建設機械の安全装置。
【請求項２】
シートベルトセンサが、シートベルトの先端の被係止プレートが、固定された係止部に挿入されて係合するとシートベルト装着と判定し、係合されないと未装着と判定することを特徴とする請求項１に記載の建設機械の安全装置。
【考案の詳細な説明】
【技術分野】
【０００１】
本考案は、建設機械の座席シートに設けられたシートベルトの着用を忘れた場合に、警報ブザー等を発する警報音装置と、シートベルトの着用を建設機械の車体外部に設けられた外部表示灯によって表示させ、シートベルトの着用を外部からも認知することができる安全装置に関する。
【背景技術】
【０００２】
従来、例えば特開２０００−１６８４９９号には、建設機械の運転室（キャブ）内に位置して床板上に設けられた座席支持体と、該座席支持体上に設けられた背面側に背当て部を有した座席シートと、前記座席支持体の左，右両側部にそれぞれ取付けられ該座席シート上で互いに連結される長尺，短尺なシートベルト部とからなる建設機械の運転席装置において、前記座席シートの背当て部側には、前記各シートベルト部のうち少なくとも長尺なシートベルト部を掛止めする止め具を設けた建設機械の運転席装置が提案されている。
このように建設機械の運転席にもシートベルトが設けられるが、オペレータがシートベルトを着用せずに建設機械を走行させると、建設機械が揺動したり衝撃を受けた際にオペレータが運転席から離脱するおそれがあるばかりか、運転が不安定な建設機械によって建設作業に従事する周辺の人々にも危険である。
そこで、特開２０１２−２１３６２号では、シートベルトがオペレータの胴体部に装着されているか否かを検出して。制御部でシートベルトがオペレータの胴体部に装着されていない場合、操作具による建設機械の操作を実行不能とする構成が採られているが、上記先行発明では、外部表示灯が設けられていないので、オペレータにシートベルトの未着用を知らせたり、着用を促すよう指示することは想定されていない。
【０００３】
このように、従来は、オペレータがシートベルトを着用しているか否かを外部から確認することは困難であった。
そこで、オペレータがシートベルトを着用しなければ、警報音装置の警報音や、外部表示灯の警報光の有無などで未着状態を容易に確認できるので、オペレータが気づき、または外部の者が着用を指示することでオペレータの安全を確保することができる。
【先行技術文献】
【特許文献】
【０００４】
【特許文献１】特開２００５−１３２３０７号公報
【考案の概要】
【考案が解決しようとする課題】
【０００５】
この考案が解決しようとする問題点は、建設機械のオペレータがシートベルトを着用しないで運転を行う場合に警報音装置から警報音を発することでオペレータに未着用を報知し、またオペレータがシートベルトを着用すると建設機械の車体の外部に設置した外部表示灯で点滅することで、外部の人でもオペレータがシートベルトを着用していることが確認できるので、作業の安全に資する。
【課題を解決するための手段】
【０００６】
本考案は、上記課題を解決するために、
建設機械の運転席に設けられたシートベルトがオペレータに装着されたか否かを判定するシートベルトセンサと、該シートベルトセンサが未装着と判定した場合で、建設機械のエンジンが駆動し、または駆動後一定時間経過した場合を判定すると要警報と判定する警報制御部と、該警報制御部が要警報と判定した場合に警報音を発生させる警報音装置と、警報制御部がシートベルトが着用されていることを判定すると建設機械の車体の外部に設けられて外部に向けてシートベルトの着用を表示させる外部表示灯とからなることを特徴とする。
【考案の効果】
【０００７】
本考案の建設機械の安全装置は、オペレータが建設機械のシートベルトを着用しないで建設機械が駆動すると、警報音装置により警報音は発生させて、オペレータに未着用であることを報知する。
また、オペレータが、シートベルトを着用したことが検出されると、車体の外部に設けられた外部表示灯を発光させて外部の人々にオペレータのシートベルトの着用を報知することができる。
【図面の簡単な説明】
【０００８】
【図１】建設機械の外観の側面図である。
【図２】キャブ内のシートベルトと警報音装置を示す模式図である。
【図３】シートベルト装置の一例を示す回路図である。
【考案を実施するための形態】
【０００９】
以下に、この考案の建設機械は運転席にシートベルトを有する建設機械であれば種類を問わないが、本実施例では一例として油圧ショベルを例に図面を参照しつつ説明する。
【実施例１】
【００１０】
［警報音装置］
図１に例示する建設機械１のキャブ２内には、図２に示すように運転席３にシートベルト装置１４が設けられており後述の警報音装置１０と、外部表示灯１５とが接続されている（図３参照）。
シートベルト装置１４は、運転席３の左右一方（例えば図示右側）に取り付けられた巻取り部５、シートベルト４及び被係止プレート６と、運転席３の左右他方（例えば図示左側）に取り付けられる係止部７とによって構成される。
巻取り部５は、シートベルト４の非装着時に、シートベルト４を巻取る。
シートベルト４は、オペレータの胴体部を巻くように装着される。
【００１１】
前記被係止プレート６は、シートベルト４の先端に設けられており、被係止プレート６は、バックル状の係止部７に嵌合係止される。
前記係止部７は、長さが短いベルトの先端に固定されており、被係止プレート６が挿入された場合に、被係止プレート６を係脱可能に係止する公知構成からなっている。
【００１２】
シートベルトセンサ８は、本実施例では、係止部７の内部に設けられ、被係止プレート６の挿入ないし係止状態を検出して、シートベルト４がオペレータの胴体部に巻き付けられているか否かを検出する。
本考案では、シートベルトセンサ８は上記構成に限定されず、シートベルト４がオペレータの胴体部に巻き付けられているか否かを検出するものであれば公知の構成に置き換えることができる。
【００１３】
このシートベルトセンサ８は、警報音装置１０と外部表示灯１５とに択一的に接続するリレー回路式の警報制御部９に接続されており、該制御部９では、シートベルトセンサ８がシートベルト４の装着を検出せずに、建設機械のエンジン駆動スイッチが操作された場合、あるいはエンジンの駆動がはじまってから一定時間経過した場合などの所定条件を満たしたときには、シートベルト未装着でのエンジン駆動と判定して、警報音装置１０に警報信号を送信して警報音を発生させる
【００１４】
本実施例では、警報音装置１０が、運転室の内部に設けられたスピーカーからなっており、警報音が前記スピーカーから発せられてシートベルトの未装着をオペレータに報知する。
スピーカーの位置は上記実施例に限定されず、オペレータが聴取しうる場所であればよい。
これによりオペレータが自ら気がつき、また周辺の人々からの合図により、シートベルトの着用が促されて、未着用を防止することができる。
【００１５】
［外部表示灯］
また、シートベルトセンサ８によりシートベルトの着用が検出されると、前記警報制御部９は、安全モード信号を外部表示灯１５に出力し、表示灯を発光させて視覚的に外部の人々にシートベルトが着用中であることを報知する。
【００１６】
本実施例では、外部表示灯１５はパトライトのような回転灯からなっており、エンジンスタート時にオペレータのシートベルト４が着用と判定された場合に、外部表示灯１５が安全モードとして作動され、例えば水平方向に赤色灯を回転し放光させることで、外部の人にシートベルトが着用中であることを知らせることができる。
シートベルトが未着用と判定されると、前記外部表示灯１５は消灯する。
【００１７】
ここで外部表示灯は、シートベルトの着用時の安全モードと未着用の未着用モードとを区別して発光表示しうるものであればよく、本実施例では、着用時には回転灯の点灯となり、未着用時には消灯となる。
その他、この考案では、例えば、安全モードでは青色が点灯し、警報モードでは赤色が点灯や点滅するなど、モードによって点灯の有無や点灯色または点灯方法の区別などが行えるようになっていればよい。
【００１８】
この考案は上記の構成からなっているので、建設機械のオペレータがシートベルトを着用しないで運転を行う場合に、警報音を発して未装着を知らせることができ、またシートベルトを着用した場合は、外部表示灯を点灯して、外部の人にシートベルトが着用され安全であることを報知することができる。
【００１９】
この考案は上記実施例に限定されるものではなく、要するに、この考案の要旨を変更しない範囲で種々設計変更することができる。 
【符号の説明】
【００２０】
１    建設機械
２    キャブ
３    運転席
４    シートベルト
５    巻取り部
６    被係止プレート
７    係止部
８    シートベルトセンサ
９    警報制御部
１０    警報音装置
１４    シートベルト装置
１５    外部表示灯
１６    外部表示灯の点灯を表示するランプ
【図１】
0003220205.tif 000003
【図２】
0003220205.tif 000004
【図３】
0003220205.tif 000005